(57)【要約】【課題】種々の印字率でのプリントがなされる場合があっても、２次電池の劣化をより正確に判断することのできる２次電池の良否判定装置を提供することである。【解決手段】プリンタでの消費電力を積算して積算消費電力量を取得する積算消費電力量取得手段（Ｓ１９、Ｓ２２、Ｓ２５）と、所定タイミングからの前記積算消費電力量が所定電力量に達したか否かを判定する積算消費電力量判定手段（Ｓ２０）と、前記所定タイミングから、前記積算消費電力量判定手段にて前記積算消費電力量が前記所定電力量に達したと判定されるまでの間での前記２次電池の出力電圧の低下量を取得する出力電圧低下量取得手段（Ｓ１４、Ｓ３２、Ｓ３４）と、該出力電圧低下量取得手段にて取得される前記２次電池の出力電圧の低下量が所定量以上であるか否かに基づいて前記２次電池の良否を判定する良否判定手段（Ｓ３６）とを有する構成となる。【選択図】図５
2014048101.tif 000002
【特許請求の範囲】
【請求項１】
プリンタの電源として用いられる２次電池の良否判定装置であって、
前記プリンタでの消費電力を積算して積算消費電力量を取得する積算消費電力量取得手段と、
所定タイミングからの前記積算消費電力量が所定電力量に達したか否かを判定する積算消費電力量判定手段と、
前記所定タイミングから、前記積算消費電力量判定手段にて前記積算消費電力量が前記所定電力量に達したと判定されるまでの間での前記２次電池の出力電圧の低下量を取得する出力電圧低下量取得手段と、
該出力電圧低下量取得手段にて取得される前記２次電池の出力電圧の低下量が所定量以上であるか否かに基づいて前記２次電池の良否を判定する良否判定手段とを有する２次電池の良否判定装置。
【請求項２】
前記良否判定手段は、前記出力電圧低下量判定手段により前記２次電池の出力電圧の低下量が前記所定量以上であると判定されたときに、前記２次電池が良好でないと判定する請求項１記載の２次電池の良否判定装置。
【請求項３】
前記出力電圧低下量取得手段は、
前記所定タイミングでの前記２次電池の出力電圧値を第１出力電圧値として検出する第１出力電圧検出手段と、
前記積算消費電力量判定手段にて前記積算消費電力量が前記所定電力量に達したと判定されたときに前記２次電池の出力電圧値を第２出力電圧値として検出する第２出力電圧検出手段と、
前記第１出力電圧値と前記第２出力電圧値との電圧差を前記低下量として演算する電圧差演算手段とを有する請求項１または２記載の２次電池の良否判定装置。
【請求項４】
前記積算消費電力量取得手段は、前記プリンタの印字動作に用いられる印字データに基づいて前記印字動作に必要な消費電力量を算出する印字動作消費電力量演算手段を有し、該印字動作消費電力量演算手段にて得られる消費電力量を積算する請求項１乃至３のいずれかに記載の２次電池の良否判定装置。
【請求項５】
前記積算消費電力量取得手段は、前記プリンタが待機状態にあるときの消費電力量を取得する待機消費電力量取得手段を有し、該待機消費電力量取得手段にて取得される消費電力量を積算する請求項１乃至４のいずれかに記載の２次電池の良否判定装置。
【請求項６】
前記プリンタは、前記２次電池から電力供給を受けるサーマルヘッドを備えたプリント機構を有するサーマルプリンタである２次電池の良否判定装置。
【請求項７】
電源としての２次電池と、
請求項１乃至６のいずれかに記載の２次電池の良否判定装置とを有するプリンタ。
【発明の詳細な説明】
【技術分野】
【０００１】
本発明は、サーマルプリンタ（感熱式プリンタ、熱転写プリンタ）等のプリンタに電源として用いられる２次電池の良否判定装置及びそのプリンタに関する。
【背景技術】
【０００２】
従来、特許文献１に記載される２次電池駆動プリンタが提案されている。この２次電池駆動プリンタでは、電源オン時の２次電池の電圧と現在の２次電池電圧との差と、用紙の正常最大発行距離との関係が予め記憶されている。即ち、正常プリント時において用紙が送られる距離とその際の２次電池の電圧低下との関係が予め記憶されている。そして、実際のプリント動作において、用紙の発行距離が、２次電池の実際の電圧低下量（電源オン時の２次電池の電圧と現在の２次電池との差）に対応する前記正常最大発行距離より小さい場合に、２次電池が良好ではない（劣化している）と判定している。
【０００３】
このような２次電池駆動プリンタによれば、２次電池が、単に電圧低下した場合とは区別して、２次電池が劣化した状態であることを利用者に知らせることができる。
【先行技術文献】
【特許文献】
【０００４】
【特許文献１】特開２００７−１６８３０５号公報
【発明の概要】
【発明が解決しようとする課題】
【０００５】
しかしながら、前述した従来の２次電池駆動プリンタにおいて種々の印字率でのプリントがなされる場合、用紙の送り量と、実際の印字量、即ち、消費電力量との関係が種々変動する。この場合、単なる用紙の送り量と２次電池の出力電圧低下との関係からは、２次電池の劣化の正確な判断ができない。
【０００６】
本発明はこのような事情に鑑みてなされたもので、種々の印字率でのプリントがなされる場合があっても、２次電池の劣化をより正確に判断することのできる２次電池の良否判定装置を提供するものである。
【課題を解決するための手段】
【０００７】
本発明に係る２次電池の良否判定装置は、プリンタの電源として用いられる２次電池の良否判定装置であって、前記プリンタでの消費電力を積算して積算消費電力量を取得する積算消費電力量取得手段と、所定タイミングからの前記積算消費電力量が所定電力量に達したか否かを判定する積算消費電力量判定手段と、前記所定タイミングから、前記積算消費電力量判定手段にて前記積算消費電力量が前記所定電力量に達したと判定されるまでの間での前記２次電池の出力電圧の低下量を取得する出力電圧低下量取得手段と、該出力電圧低下量取得手段にて取得される前記２次電池の出力電圧の低下量が所定量以上であるか否かに基づいて前記２次電池の良否を判定する良否判定手段とを有する構成となる。
【０００８】
このような構成により、２次電池からの電力供給によりプリンタが動作する過程で、所定タイミングから、当該プリンタでの積算消費電力量が所定電力量に達したと判定されるまでの間での２次電池の出力電圧の低下量が所定量以上であるか否かに基づいて前記２次電池の良否が判定される。
【０００９】
本発明に係る２次電池の良否判定装置において、前記良否判定手段は、前記出力電圧低下量判定手段により前記２次電池の出力電圧の低下量が前記所定量以上であると判定されたときに、前記２次電池が良好でないと判定する構成とすることができる。
【００１０】
このような構成により、所定タイミングから、プリンタでの積算消費電力量が所定電力量に達したと判定されるまでの間での２次電池の出力電圧の低下量が所定量以上であるときに、前記２次電池が良好でないと判定される。
【００１１】
また、本発明に係る２次電池の良否判定装置において、前記出力電圧低下量取得手段は、前記所定タイミングでの前記２次電池の出力電圧値を第１出力電圧値として検出する第１出力電圧検出手段と、前記積算消費電力量判定手段にて前記積算消費電力量が前記所定電力量に達したと判定されたときに前記２次電池の出力電圧値を第２出力電圧値として検出する第２出力電圧検出手段と、前記第１出力電圧値と前記第２出力電圧値との電圧差を前記低下量として演算する電圧差演算手段とを有する構成とすることができる。
【００１２】
このような構成により、所定タイミングでの前記２次電池の第１出力電圧値と、前記所定タイミングからの積算消費電力量が所定電力量に達したと判定されたときの前記２次電池の第２出力電圧値との電圧差が２次電池の出力電圧の低下量として取得される。
【００１３】
また、本発明に係る２次電池の良否判定装置において、前記積算消費電力量取得手段は、前記プリンタの印字動作に用いられる印字データに基づいて前記印字動作に必要な消費電力量を算出する印字動作消費電力量演算手段を有し、該印字動作消費電力量演算手段にて得られる消費電力量を積算する構成とすることができる。
【００１４】
このような構成により、印字データに基づいた印字動作による当該プリンタでの消費電力量を積算することができる。
【００１５】
更に、本発明に係る２次電池の良否判定装置において、前記積算消費電力量取得手段は、前記プリンタが待機状態にあるときの消費電力量を取得する待機消費電力量取得手段を有し、該待機消費電力量取得手段にて取得される消費電力量を積算する構成とすることができる。
【００１６】
このような構成により、待機状態のプリンタが要する待機消費電力を積算することができる。
【００１７】
また、本発明に係る２次電池の良否判定装置において、前記プリンタは、前記２次電池から電力供給を受けるサーマルヘッドを備えたプリント機構を有するサーマルプリンタである構成とすることができる。
【００１８】
このような構成により、サーマルプリンタにおいて、２次電池からの電力供給によりサーマルヘッドを含むプリント機構が動作する過程で、所定タイミングから、当該サーマルプリンタでの積算消費電力量が所定電力量に達したと判定されるまでの間での２次電池の出力電圧の低下量が所定量以上であるか否かに基づいて前記２次電池の良否が判定される。
【００１９】
本発明に係るプリンタは、電源としての２次電池と、前述したいずれかの２次電池の良否判定装置とを有する構成となる。
【発明の効果】
【００２０】
本発明に係る２次電池の良否判定装置によれば、２次電池からの電力供給によりプリンタが動作する過程で、所定タイミングから、当該プリンタでの積算消費電力量が所定電力量に達したと判定されるまでの間での２次電池の出力電圧の低下量が所定量以上であるか否かに基づいて前記２次電池の良否が判定されるので、種々の印字率でのプリントがなされる場合があっても、その種々の印字率での印字の状況が前記積算消費電力量に反映され、２次電池の劣化をより正確に判断することができる。
【図面の簡単な説明】
【００２１】
【図１】本発明の実施に一形態に係る２次電池の良否判定装置が適用されるプリンタの構成例を示すブロック図である。
【図２】２次電池の良否判定の処理の手順を示すフローチャート（その１）である。
【図３】２次電池の良否判定の処理の手順を示すフローチャート（その２）である。
【図４】２次電池の良否判定の処理の手順を示すフローチャート（その３）である。
【図５】プリント動作中における積算消費電力の状態と、２次電池の電圧低下の状態とを示す図である。
【発明を実施するための形態】
【００２２】
以下、本発明の実施の形態について図面を用いて説明する。
【００２３】
本発明の実施の一態様に係る２次電池の良否判定装置が適用されるプリンタは、図１に示すように構成される。このプリンタは、サーマルプリンタ（感熱式プリンタまたは熱転写プリンタ）である。
【００２４】
図１において、このサーマルプリンタは、サーマルヘッド１３及び動力源であるモータやソレノイド等のアクチュエータ１４を含むプリント機構を有している。また、このサーマルプリンタは、処理ユニット１０、駆動回路１１、１２、操作部１５、表示部１６及び記憶部１７を有している。操作部１５での操作により入力される印字データが処理ユニット１０から記憶部１７に記憶される。表示部１６は、処理ユニット１０の制御のもと、メッセージ等の各種情報を表示する。処理ユニット１０は、記憶部１７に記憶された印字データを読み出して出力するとともに、プリント機構におけるアクチュエータ１４に対する制御信号を出力する。駆動回路１１は、処理ユニット１０からの印字データに従ってサーマルヘッド１３を駆動し、駆動回路１２は、処理ユニット１０からの制御信号に従ってアクチュエータ１４を駆動する。これにより当該サーマルプリンタにおいて、例えば、搬送される用紙に配列された各ラベルＬｂ（後述する図５参照）に前記印字データにて表される文字、マーク等の印字が前記印字動作手順に従ってなされる。
【００２５】
前記サーマルプリンタは、２次電池２０を備えており、前述した処理ユニット１０、駆動回路１１、１２、サーマルヘッド１３、アクチュエータ１４、操作部１５、表示部１６及び記憶部１７は、２次電池２０からの電力供給により動作する。また、サーマルプリンタは、２次電池２０の出力電圧を検出する電圧検出回路１８を備えており、処理ユニット１０での制御のもと、電圧検出回路１８は、２次電池２０の出力電圧値を検出して、その出力検出値を処理ユニット１０に提供する。電圧検出回路１８も、２次電池２０からの電力供給により動作する。
【００２６】
前述したサーマルプリンタの電源として用いられる２次電池２０の良否判定装置が、処理ユニット１０の機能として実現される。当該サーマルプリンタの電源がオンされると、処理ユニット１０は、図２乃至図４に示す手順に従って、２次電池２０の良否判定処理を実行する。
【００２７】
図２において、処理ユニット１０は、電源がオンされると、モータ（アクチュエータ１４）に一定の電流を流して励磁させる等してモータを所定負荷状態にし（Ｓ１１）、その状態（所定負荷状態）で、２次電池２０の出力電圧値Ｖp1（第１出力電圧値）を検出するよう電圧検出回路１８を制御する（Ｓ１２）。電圧検出回路１８は、処理ユニット１０の制御のもと、２次電池２０の出力電圧値Ｖp1を検出して、その出力電圧値Ｖp1を処理ユニット１０に提供する（第１出力電圧検出手段）。その後、処理ユニット１０は、モータ（アクチュエータ１４）の動作を停止させ（Ｓ１３）、電圧検出回路１８からの出力電圧値Ｖp1を記憶部１７に保存する（Ｓ１４：Ｖ＝Ｖp1）。
【００２８】
処理ユニット１０は、電源がオンされたときの２次電池２０の出力電圧値Ｖp1を保存すると（Ｓ１４）、積算消費電力量ΣＰをリセット（ΣＰ＝０）し（Ｓ１５）、待機タイマＴをリセット（Ｔ＝０）する（Ｓ１６）。待機タイマＴは、前記リセットの直後に起動される。その後、処理ユニット１０は、例えば、１ページ分（ラベルＬｂ１枚分）の印字データが準備されたかどうかを確認しつつ（Ｓ１７）、前記待機タイマＴが所定時間Ｔｏに達したか（Ｔ≧Ｔｏ）否かを判定する（Ｓ１８）。その過程で、印字データが準備される前（Ｓ１７でＮＯ）に、待機時間Ｔが所定時間Ｔｏに達すると（Ｓ１８でＹＥＳ）、処理ユニット１０は、待機状態が前記所定時間Ｔｏ継続した際の消費電力量として予め記憶部１７に保存された待機消費電力量Ｐstb（Ｔｏ）を記憶部１７から取得し（待機消費電力量取得手段）、その待機消費電力量Ｐstb（Ｔｏ）を積算消費電力量ΣＰに加算（積算）して、当該積算消費電力量ΣＰを更新する（Ｓ１９：積算消費電力量取得手段）。
【００２９】
そして、処理ユニット１０は、更新された前記積算消費電力量ΣＰが所定電力量Ｐthに達したか（ΣＰ≧Ｐth）否かを判定する（Ｓ２０：積算消費電力量判定手段）。ここで、積算消費電力量ΣＰが所定電力量Ｐthに達していなければ（Ｓ２０でＮＯ）、処理ユニット１０は、待機タイマＴをリセットして（Ｓ１６）、前述した処理（Ｓ１７、Ｓ１８、Ｓ１９）を実行する。そして、前記積算消費電力量ΣＰが前記所定電力量Ｐthに達していない状況（Ｓ２０でＮＯ）において前記処理（Ｓ１６〜Ｓ２０）が繰り返される。その過程で、印字データが準備されると（Ｓ１７でＹＥＳ）、処理ユニット１０は、図３に示す処理手順に移行して、まず、現在の待機タイマＴの時間Ｔに対応した待機消費電力量Ｐstb（Ｔ）を、例えば、単位待機時間当たりの消費電力量（記憶部１７にパラメータとして保存されている）と、待機タイマＴの値とに基づいて、演算し（Ｓ２１：待機消費電力量取得手段）、この待機消費電力量Ｐstb（Ｔ）を前記積算消費電力量ΣＰに加算（積算）して、当該積算消費電力量ΣＰを更新する（Ｓ２２：積算消費電力量取得手段）。
【００３０】
その後、処理ユニット１０は、準備された１ページ分（１ラベルＬｂ分）の印字データに基づいて、サーマルヘッド１３の発熱ドット数を算出し（Ｓ２３）、その発熱ドット数から印字動作に必要な印字消費電力量Ｐprtを算出する（Ｓ２４：印字動作消費電力量演算手段）。処理ユニット１０は、その印字消費電力量Ｐprtを前記積算消費電力量ΣＰに加算して、当該積算消費電力量ΣＰを更新する（Ｓ２５：積算消費電力量取得手段）。そして、処理ユニット１０は、前記印字データとともに制御信号を出力してサーマルプリンタ１３及びアクチュエータ１４を含むプリント機構を制御する（Ｓ２６）。これにより、用紙Ｓが送られつつラベルＬｂに対して印字データに基づいた印字がなされる。
【００３１】
上述したように印字データに基づいて積算消費電力量ΣＰを更新した（Ｓ２５）処理ユニット１０は、図２に示す処理に戻り、その積算消費電力量ΣＰが所定電力量Ｐthに達したか否かを判定する（Ｓ２０）。積算消費電力量ΣＰが前記所定電力量Ｐthに達していない（Ｓ２０でＮＯ）状況においては、前述したのと同様の処理（Ｓ１６〜Ｓ２０、Ｓ２１〜Ｓ２６）が繰り返し実行される。その過程で、待機消費電力量Ｐstb（Ｔｏ）、Ｐstb（Ｔ）及び印字動作消費電力量Ｐprtを順次積算消費電力量ΣＰに加算（積算）されていく。
【００３２】
前記積算消費電力量ΣＰが前記所定消費電力量Ｐthを越えると（Ｓ２０でＹＥＳ）、処理ユニット１０は、図４に示す処理に移行して、モータ（アクチュエータ１４）を前述した所定負荷状態にし（Ｓ３１）、その状態（所定負荷状態）で、２次電池２０の出力電圧値Ｖp2（第２出力電圧値）を検出するように電圧検出回路１８を制御する（Ｓ３２）。電圧検出回路１８は、処理ユニット１０の制御のもと、２次電池２０の出力電圧値Ｖp2を検出してその出力電圧値Ｖp2を処理ユニット１０に提供する（第２出力電圧検出手段）。その後、処理ユニット１０は、モータ（アクチュエータ１４）の動作を停止させる（Ｓ３３）。
【００３３】
処理ユニット１０は、記憶部１７に保存されている出力電圧値Ｖ（＝Ｖp1）（図２におけるＳ１４参照）と、現時点で検出された２次電池２０の出力電圧値Ｖp2との電圧差ΔＶを２次電池２０の出力電圧の低下量として算出する（Ｓ３４：電圧差演算手段（出力電圧低下量取得手段））。処理ユニット１０は、現時点で検出された前記出力電圧値Ｖp2（新たな第１出力電圧）を記憶部１７に保存する（Ｓ３５：Ｖ＝Ｖp2）。その後、処理ユニット１０は、前記電圧差ΔＶ（出力電圧の低下量）が所定電圧値Ｖth（所定低下量）以上であるか否かを判定する（Ｓ３６：良否判定手段）。
【００３４】
前記電圧差Δが前記所定電圧値Ｖthに達していないと（Ｓ３６でＮＯ）、前回出力電圧値Ｖp1を検出したタイミング（図２にけるＳ１２参照）から、前記積算消費電力量ΣＰが前記所定電力量Ｐthに達したと判定される（図２におけるＳ２０でＹＥＳ）までの間での２次電池２０の出力電圧の低下量ΔＶが所定電圧値Ｖthに達していないとして、即ち、２次電池２０がまだ劣化していないとして、処理ユニット１０は、図２に示す処理に戻って、積算消費電力量ΣＰをリセット（ΣＰ＝０）する（Ｓ１５）。その後、前述した処理（Ｓ１６〜Ｓ２０、Ｓ２１〜Ｓ２６、Ｓ３１〜Ｓ３６）が繰り返される。
【００３５】
その過程で、積算消費電力量ΣＰが所定電力量Ｐthに達した（図２におけるＳ２０でＹＥＳ）時点で、２次電池２０の出力電圧の低下量として得られた電圧差ΔＶ（＝Ｖ−Ｖp2）が前記所定電圧値Ｖth以上であると（Ｓ３６でＹＥＳ）、処理ユニット１０は、２次電池２０が良好ではない（劣化している）として、バッテリーエラーのメッセージを表示部１６に表示させる。表示部１６に表示されたメッセージを見た利用者は、２次電池２０が劣化しており、交換すべきことを知ることができる。
【００３６】
上述した２次電池２０の良否判定装置（処理ユニット１０の機能）では、サーマルプリンタが、例えば、図５に示すように、２次電池２０の電源がオンされた後、印字データに基づいて用紙Ｓに配列されたラベルＬｂに対する印字を順次行っていく過程（時間Ｔ１、Ｔ２、Ｔ３、Ｔ４）で、印字動作消費電力量Ｐprt及び待機消費電力量Ｐstb（Ｔｏ）、Ｐstb（Ｔ）を積算していく。そして、その積算消費電力量ΣＰが、所定電力量Ｐthに達した（図５における時間Ｔ５）際における２次電池２０の出力電圧の低下量ΔＶが所定量Ｖth以上であるか否かに基づいて２次電池２０の良否が判定される。例えば、図５に示す特性Ｑ１のように、出力電圧値が低下して、前記積算消費電力量ΣＰが所定電力量Ｐthに達した時点での当該出力電圧の低下量ΔＶ１が所定量Ｖthに達しない２次電池２０は、ある一定の電力量（Ｐth）を消費しても、出力電圧Ｖの低下が少ないとして、良好もの（劣化していないもの）と判定される。一方、図５に示す特性Ｑ２のように、出力電圧値が低下して、前記積算消費電力量ΣＰが所定電力量Ｐthに達した時点での当該出力電圧Ｖの低下量ΔＶ２が所定量Ｖthに達した２次電池２０は、ある一定の電力量（Ｖth）を消費した際の出力電力Ｖの低下が大きいとして、良好でない（劣化している）と判定される。
【００３７】
このように、上述した２次電池２０の良否判定装置によれば、２次電池２０からの電力供給によりサーマルプリンタが動作する過程で、２次電池２０の電源がオンされた後の所定のタイミング（電源がオンされたタイミング、あるいは、積算消費電力量ΣＰがリセットされたタイミング（図２におけるＳ１５参照））から、当該サーマルプリンタでの積算消費電力量ΣＰが所定電力量Ｐthに達したと判定される（図２におけるＳ２０参照）までの間での２次電池２０の出力電圧の低下量ΔＶが所定量Ｖth以上であるか否かに基づいて２次電池２０の良否が判定されるので、種々の印字率でのプリントがなされる場合があっても、その種々の印字率での印字の状況が前記積算消費電力量ΣＰに反映され、２次電池２０の劣化をより正確に判断することができる。
【００３８】
前述した２次電池２０の良否判定装置（処理ユニット１０の機能）は、サーマルプリンタに適用されるものであったが、２次電池２０で動作する他の種類のプリンタに適用することもできる。
【００３９】
なお、前述した２次電池の良否判定装置では、出力電圧の低下量ΔＶが所定量Ｖth以上になったときに（Ｓ３６でＹＥＳ）、２次電池２０が良好なものではない（劣化している）と判定するものであったが、その良否の判定は、前記出力電圧の低下量ΔＶが所定量Ｖthに達したか否かに基づいていれば特に限定されない。例えば、積算消費電力量ΣＰの判定基準Ｐthと、２次電池２０の出力電圧の低下量ΔＶの判定基準Ｖthとを適当に設定することにより、所定タイミング（電源がオンされたタイミング、あるいは、積算消費電力量ΣＰがリセットされたタイミング）から、積算消費電力量ΣＰが所定電力量Ｐthに達したと判定されるまでの間での２次電池２０の出力電圧の低下量ΔＶが所定量Ｖth以上となることが、所定回数連続したときに、２次電池２０が良好なものではない（劣化している）と判定するようにすることもできる。その場合、２次電池２０の出力電圧の低下量ΔＶが所定量Ｖth以上であると判定される回数が増えるほど、より高い緊急性を表すメッセージを出力させるようにすることもできる。
【００４０】
また、前述した２次電池の良否判定装置では、待機消費電力量Ｐstb（Ｔｏ）、Ｐstb（Ｔ）及び印字動作消費電力量Ｐprtは、予め記憶部１７に記憶され、また、演算されるものであったが、実際に測定するものであってもよい。
【００４１】
なお、２次電池２０が良好でないと判定されたときに、表示部１６にメッセージを表示させることに代えて、警報ランプを点灯させるようにすることもできる。
【００４２】
なお、積算消費電力量ΣＰは電源ON時にリセットするのではなく、電源遮断の判定回路と、電源遮断時に積算消費電力量ΣＰを保存する不揮発性メモリとを設け、電源遮断を検出した時にＳ２１〜Ｓ２２の処理（図３参照）を実行して、積算消費電力量ΣＰを不揮発性メモリに保存することにより、再度電源ONしたときには、電源遮断前の積算消費電力量ΣＰを用いて２電池の良否を判定することができる。
【産業上の利用可能性】
【００４３】
以上、説明したように、本発明に係る２次電池の良否判定装置は、種々の印字率でのプリントがなされる場合があっても、２次電池の劣化をより正確に判断することができるという効果を有し、サーマルプリンタ（感熱式プリンタ、熱転写プリンタ）等のプリンタに電源として用いられる２次電池の良否判定装置として有用である。
【符号の説明】
【００４４】
１０  処理ユニット
１１、１２  駆動回路
１３  サーマルヘッド
１４  アクチュエータ
１５  操作部
１６  表示部
１７  記憶部
１８  電圧検出回路
２０  ２次電池
【図１】
2014048101.tif 000003
【図２】
2014048101.tif 000004
【図３】
2014048101.tif 000005
【図４】
2014048101.tif 000006
【図５】
2014048101.tif 000007